(57)【特許請求の範囲】
【請求項１】
発信者番号通知の機能を有する携帯電話装置において、
１組の携帯電話装置の電話番号を保持する紛失時認証用電話番号保持部と、
紛失・連絡先メッセージを保持する紛失時固定メッセージ保持部と、
紛失時の警告音データを保持する紛失時警告音データ保持部と、
前記紛失時認証用電話番号保持部に保持されている電話番号の1組の携帯電話装置に電話をかけ、リモート操作開始のデータを送信した場合、前記紛失時固定メッセージ保持部から紛失・連絡先メッセージを読み出し送信し、前記紛失時警告音データ保持部から紛失時の警告音データを読み出し送信し、又は、発信者番号通知を受信し、受信した電話番号と前記紛失時固定メッセージ保持部に保持されている電話番号とが一致し、リモート操作開始用データを受信した場合、発信禁止を行い、前記紛失・連絡先メッセージを受信して表示し、前記紛失時の警告音データを受信し紛失警告音として鳴動させる紛失時処理部とを備えることを特徴とする携帯電話装置。
【請求項２】
リモート操作開始のデータを送信する側の１組の前記携帯電話装置に固定電話装置を含むことを特徴とする、請求項１に記載の携帯電話装置。
【請求項３】
紛失した前記携帯電話装置の前記紛失時認証用電話番号保持部に保持された電話番号の前記携帯電話装置は、紛失した前記携帯電話装置に電話をかけた後、キー操作部の任意のキー押下により、リモート操作開始データを送信し、キー操作部のキー押下により紛失時固定メッセージ保持部から前記紛失・連絡先メッセージを読み出し送信し、キー操作部のキー押下により紛失時警告音データ保持部から前記紛失時の警告音データを読み出し送信することを特徴とする、請求項１に記載の携帯電話装置。
【請求項４】
発信者番号通知の機能を有する携帯電話装置のリモート操作方法において、
１組の携帯電話装置の電話番号を紛失時認証用として保持する工程と、
紛失・連絡先メッセージを保持する工程と、
紛失時の警告音データを保持する工程と、
保持されている電話番号の1組の携帯電話装置に電話をかけ、リモート操作開始のデータを送信した場合、保持されている紛失・連絡先メッセージを読み出し送信し、保持されている紛失時の警告音データを読み出し送信する工程と、
発信者番号通知を受信し、受信した電話番号と保持されている電話番号とが一致し、リモート操作開始用データを受信した場合、発信禁止を行い、前記紛失・連絡先メッセージを受信して表示し、前記紛失時の警告音データを受信し紛失警告音として鳴動させる工程とを備えることを特徴とする携帯電話装置のリモート操作方法。
【発明の詳細な説明】
【０００１】
【産業上の利用分野】
本発明は携帯電話装置に関する。特に、本発明は、盗まれたり、落としたり、置き忘れたりして紛失した携帯電話装置のリモート操作方法に関する。
【０００２】
【従来の技術】
従来の携帯電話装置では、ユーザが携帯電話装置を盗まれたり、落としたり、置き忘れたりして紛失した場合等に可能な処理は通信事業者（ＮＴＴＤｏＣｏＭＯ等）への申請による無線機ＯＦＦ設定のみであった。
したがって、紛失に気付いた時点で即座にユーザの操作で無線機ＯＦＦ設定ができなかった。
【０００３】
また、ユーザの手元に戻った際の無線機ＯＦＦ設定の解除は再び事業者への申請を行う必要がある。
また、携帯電話装置の拾得者に悪用されてしまう可能性があり、逆に善意の拾得者は紛失者の情報を持たないため、警察等への届け出を行う以外に、紛失者に拾得した旨を伝える手立てがなかった。このため、紛失者の手元に戻るまでに時間を要していた。
【０００４】
現在の携帯電話装置の普及台数を考えると、このような紛失に対して、携帯電話装置におけるセキュリティが重要となる。
このようなセキュリティのために、特開平１１−２９８６００号公報では紛失した携帯電話装置と無線回線で通信し暗証番号の照合後に紛失した携帯電話装置に対してダイヤルキーの操作による発信の禁止と共に、ディスプレイへの電話帳表示等の禁止、使用者連絡先の電話番号のディスプレイ表示等に関するリモート操作を行っている。
【０００５】
【発明が解決しょうとする課題】
しかしながら、上記携帯電話装置では紛失した携帯電話装置を特定するために暗証番号の照合を用いているので、暗証番号を失念すると、紛失した携帯電話装置に対してリモート操作を行うことができず、紛失した携帯電話装置のセキュリティを確保することができないという問題が発生する。
【０００６】
したがって、本発明は上記問題点に鑑みて、紛失した携帯電話装置の暗証番号を失念しても、紛失した携帯電話装置に対してセキュリティ確保のためにリモート操作が可能となる携帯電話装置及びそのリモート操作方法を提供することを目的とする。
【０００７】
【課題を解決するための手段】
本発明は前記問題点を解決するために、発信者番号通知の機能を有する携帯電話装置において、１組の携帯電話装置の電話番号を保持する紛失時認証用電話番号保持部と、紛失・連絡先メッセージを保持する紛失時固定メッセージ保持部と、紛失時の警告音データを保持する紛失時警告音データ保持部と、前記紛失時認証用電話番号保持部に保持されている電話番号の1組の携帯電話装置に電話をかけ、リモート操作開始のデータを送信した場合、前記紛失時固定メッセージ保持部から紛失・連絡先メッセージを読み出し送信し、前記紛失時警告音データ保持部から紛失時の警告音データを読み出し送信し、又は、発信者番号通知を受信し、受信した電話番号と前記紛失時固定メッセージ保持部に保持されている電話番号とが一致し、リモート操作開始用データを受信した場合、発信禁止を行い、前記紛失・連絡先メッセージを受信して表示し、前記紛失時の警告音データを受信し紛失警告音として鳴動させる紛失時処理部とを備えることを特徴とする携帯電話装置を提供する。
【０００８】
この手段により、設定された電話番号の携帯電話装置からの着信、リモート操作開始用データの受信で紛失した携帯電話装置のリモート操作が可能になり、従来のように暗証番号による認証が不要になった。
【００１０】
この手段により、1組の携帯電話装置の１つからのリモート操作で、1組の携帯電話装置のうち紛失した携帯電話装置に対して発信禁止を行うと同時に1組の携帯電話装置の１つから紛失した携帯電話装置に紛失・連絡先メッセージ、警告音データを送信し、紛失した携帯電話装置では紛失・連絡先メッセージを受信し、表示し、さらに、警告音データを受信し、警告音の鳴動を行わせることが可能になる。このようにして、リモート操作が可能になり、さらにセキュリティの向上を図ることが可能になる。
【００１１】
さらに、リモート操作開始のデータを送信する側の１組の前記携帯電話装置に固定電話装置を含む。この手段により、固定電話装置から紛失した携帯電話装置にリモート操作が可能になる。
さらに、紛失した前記携帯電話装置の前記紛失時認証用電話番号保持部に保持された電話番号の前記携帯電話装置は、紛失した前記携帯電話装置に電話をかけた後、キー操作部の任意のキー押下により、リモート操作開始データを送信し、キー操作部のキー押下により紛失時固定メッセージ保持部から前記紛失・連絡先メッセージを読み出し送信し、キー操作部のキー押下により紛失時警告音データ保持部から前記紛失時の警告音データを読み出し送信する。
この手段により、発信者番号通知、リモート操作開始用データ、紛失・連絡先メッセージ、紛失時の警告音データの送信がより簡単にリモート操作で行うことが可能になり、従来のように暗証番号の入力が不要となった。
【００１２】
さらに、本発明は、発信者番号通知の機能を有する携帯電話装置のリモート操作方法において、１組の携帯電話装置の電話番号を紛失時認証用として保持する工程と、紛失・連絡先メッセージを保持する工程と、紛失時の警告音データを保持する工程と、保持されている電話番号の1組の携帯電話装置に電話をかけ、リモート操作開始のデータを送信した場合、保持されている紛失・連絡先メッセージを読み出し送信し、保持されている紛失時の警告音データを読み出し送信する工程と、発信者番号通知を受信し、受信した電話番号と保持されている電話番号とが一致し、リモート操作開始用データを受信した場合、発信禁止を行い、前記紛失・連絡先メッセージを受信して表示し、前記紛失時の警告音データを受信し紛失警告音として鳴動させる工程とを備えることを特徴とする携帯電話装置のリモート操作方法を提供する。
【００１３】
この手段により、1組の携帯電話装置の１つからのリモート操作で、1組の携帯電話装置のうち紛失した携帯電話装置に対して発信禁止を行うと同時に紛失した携帯電話装置では紛失・連絡先メッセージを受信し、表示し、さらに、警告音データを受信し、警告音の鳴動を行わせることが可能になる。このようにして、リモート操作が可能になり、さらにセキュリティの向上を図ることが可能になる。
【００１４】
【発明の実施の形態】
以下、本発明の実施の形態について図面を参照して説明する。
図１は本発明に係る携帯電話装置のリモート操作例を説明する図である。個人、家族、又は企業が複数の固定電話、携帯電話装置を所有している場合が多いが、例えば、本図に示すように、１組の携帯電話装置１０１、１０２、固定電話１０３が所有されているとする。
【００１５】
例えば、１つの携帯電話装置１０１が、盗まれ、置き忘れ、落とし物等として紛失した場合、紛失した携帯電話装置１０１に対して、他の携帯電話装置１０２、固定電話装置１０３から基地局１０４、１０５、ネットワーク１０６を介して、発信禁止、紛失・連絡先表示、警告音の鳴動のようなリモート操作が行われる。
なお、上記の１組の携帯電話装置には、友人・知人同士の携帯電話装置が含まれてもよい。
【００１６】
図２は図１の携帯電話装置１０１、１０２の概略構成を示すブロック図である。
本図に示すように、紛失した携帯電話装置１０１と携帯電話装置１０２は同一の構成をしているとする。
携帯電話装置１０１にはアンテナ２０１が設けられ、アンテナ２０１は基地局１０４と電波の送受信を行う。
【００１７】
アンテナ２０１には無線部２０２が接続され、無線部２０２はアンテナ２０１からの受信信号を復調し、音声信号で変調された送信信号をアンテナ２０１に出力する。
無線部２０２には音声処理部２０３が接続され、音声処理部２０３は、無線部２０２からの復調信号を入力し音声信号を復号化してスピーカ２０４に出力し、マイクロフォン２０５から入力した音声信号を符号化して無線部２０２に出力する。
【００１８】
音声処理部２０３には記憶装置部２０６が接続され、記憶装置部２０６はＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）からなり、音声処理部２０３からのデータを書き込み、読み出しを行う。
さらに、携帯電話装置１０１には表示装置部２０７が設けられ、表示装置部２０７は、ＬＣＤ（液晶表示部）で構成され、電話番号、各種機能を表示する。
【００１９】
さらに、携帯電話装置１０１にはキー操作部２０８が設けられ、キー操作部２０８はダイヤルキー、各種機能キー等からなる。
携帯電話装置１０１には制御部２０９が設けられ、制御部２０９は無線部２０２、音声処理部２０３、記憶装置部２０６、表示装置部２０７、キー操作部２０８等の携帯電話装置全体の制御を行う。
【００２０】
なお、記憶装置部２０６には紛失時認証用電話番号保持部２０６Ａ、紛失時固定メッセージ保持部２０６Ｂ、紛失時警告音データ保持部２０６Ｃが設けられる。
紛失時認証用電話番号保持部２０６Ａは、組の携帯電話装置、固定電話装置の電話番号を紛失時認証用の電話番号として保持する。
【００２１】
紛失時固定メッセージ保持部２０６Ｂは、一例として、「これは紛失した携帯電話装置です。連絡先電話番号に電話してください。」との紛失時表示用の固定メッセージを表示装置部２０７に表示させるために保持する。
紛失時警告音データ保持部２０６Ｃは、警告音を鳴動させるために、例えば、リンガの所定間隔を着信時よりも短くし、リンガの音のレベルを着信時よりも大きくなるように、リンガの音のデータを記憶する。
【００２２】また、制御部２０９には紛失時処理部２０９Ａが設けられ、紛失時処理部２０９Ａは携帯電話装置１０１、１０２が紛失した時に、受信した電話番号と紛失時認証用電話番号保持部２０６Ａから読み出した電話番号を比較し認証処理を行い、紛失時固定メッセージ保持部２０６Ｂから固定メッセージを読み出し表示装置部２０７に対して表示処理を行い、紛失時警告音データ保持部２０６Ｃから警告音データを読み出し警告音鳴動処理を行う。
図３は図１における携帯電話装置１０１、１０２への紛失時設定例を説明するフローチャートである。
ステップＳ３０１において、リモート操作有無設定を行う。
【００２３】
ステップＳ３０２において、携帯電話装置１０１、１０２における記憶装置部２０６の紛失時認証用電話番号保持部２０６Ａに紛失時認証用電話番号を設定する。
例えば、携帯電話装置１０１には、携帯電話装置１０１、１０２の電話番号、固定電話装置１０３の電話番号が保持される。
【００２４】
携帯電話装置１０２には、携帯電話装置１０１、１０２の電話番号、固定電話装置１０３の電話番号が保持される。
固定電話装置１０３には、携帯電話装置１０１、１０２の電話番号、固定電話装置１０３の電話番号が保持される。
ステップＳ３０３において、携帯電話装置１０１、１０２には固定メッセージが作成され保持（登録）される。
携帯電話装置１０１の電話番号Ａ、携帯電話装置１０２の電話番号Ｂ、固定電話番号Ｃとすると、携帯電話装置１０１には、「これは紛失した携帯電話装置です。連絡先電話番号Ｂ又はＣに電話してください。」とのメッセージが保持される。
【００２５】
携帯電話装置１０２には、「これは紛失した携帯電話装置です。連絡先電話番号Ａ又はＣに電話してください。」とのメッセージが保持される。
ステップＳ３０４において、携帯電話装置１０１、１０２には警報音が設定される。
図４は紛失した携帯電話装置に対してリモート操作を行わせる例を説明するフローチャートである。
【００２６】
ステップＳ４０１において、１組の携帯電話装置１０１、１０２、固定電話装置１０３のうち、携帯電話装置１０１が紛失したとし、携帯電話装置１０２（又は固定電話装置１０３）から紛失した携帯電話装置１０１に電話をかける。
ステップＳ４０２において、紛失した携帯電話装置１０１に電話をする際に、発信者番号通知を行う。
【００２７】
ステップＳ４０３において、携帯電話装置１０２（又は固定電話装置１０３）におけるキー操作部の任意のキー押下により、制御部２０９の紛失時処理部２０９Ａはリモート操作開始データを送信させる。
図５は紛失した携帯電話装置のリモート操作例を説明するフローチャートである。
【００２８】
本図に示すように、ステップＳ５０１において、紛失した携帯電話装置１０１では、発信者番号通知を受信し、紛失時処理部２０９Ａでは受信した発信者番号と、紛失時認証用電話番号保持部２０６Ａに保持されている電話番号との比較を行う。
一致しなければ、携帯電話装置１０１が紛失していないと判断し、通常の受信処理を行うため、本処理を終了する。
【００２９】
ステップＳ５０２において、携帯電話装置１０２（又は固定電話装置１０３）からリモート操作開始用データを受信したか否かを判断する。
リモート操作開始用データを受信しなかった場合には、携帯電話装置１０２（又は固定電話装置１０３）からの通常の受信処理のため、本処理を終了する。
ステップＳ５０３において、リモート操作開始用データを受信した場合には、紛失した携帯電話装置１０１の紛失時処理部２０９Ａは、リモート操作による動作を行う。
【００３０】
すなわち、紛失時処理部２０９Ａは無線部２０２に対して発信を禁止させる。
ステップＳ５０４において、紛失時処理部２０９Ａは紛失時固定メッセージ保持部２０６Ｂから固定メッセージを読み出し、表示装置部２０７に「これは紛失した携帯電話装置です。連絡先電話番号Ｂ又はＣに電話してください。」との表示をさせる。
【００３１】
ステップＳ５０５において、紛失時処理部２０９Ａは紛失時警告音データ保持部２０６Ｃから警告音のデータを読み出し、警告音を鳴動させる。
このように、本発明によれば、設定された電話番号の携帯電話装置からの着信、リモート操作開始データの受信で紛失携帯電話装置のリモート操作が可能になり、従来のように暗証番号の認証が不要になった。
【００３２】
図６は図４の変形例であって、紛失携帯電話装置に固定メッセージ、警告音データを送信する例を説明するフローチャートである。
本図に示すように、図４と比較して、ステップＳ６０４、ステップＳ６０５が異なる。
ステップＳ６０４において、携帯電話装置１０２（又は固定電話装置１０３）のキー操作部２０８で、紛失時固定メッセージ保持部２０６Ｂの固定メッセージに自身の電話番号を入れ、紛失した携帯電話装置１０１に送信する。
【００３３】
ステップＳ６０５において、キー操作部２０８で警告音データを、紛失した携帯電話装置１０１に送信する。
図７は図５の変形例であって、紛失携帯電話装置で固定メッセージ、警告音データを受信する例を説明するフローチャートである。
本図に示すように、図５と比較して、ステップＳ７０４において、携帯電話装置１０２から固定メッセージを受信し、表示する。
【００３４】
ステップＳ７０５において、携帯電話装置１０２から警告音データを受信し、警告音を鳴動する。
このようにして、異なる方法で、リモート操作が可能になり、セキュリティの向上を図ることが可能になる。
なお、無線による通信が可能なＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉａｔａｎｔｓ）等の携帯電話装置においても本発明を活用できる。
【００３５】
【発明の効果】
以上説明したように、本発明によれば、１組の携帯電話装置の電話番号を紛失時認証用として保持し、紛失時認証用として保持された電話番号と一致する発信者番号通知、リモート操作開始用データを受信し、受信後に紛失した携帯電話装置と認証して、発信禁止、紛失・連絡先メッセージの表示、紛失警告音の鳴動を行わせるようにしたので、設定された電話番号の携帯電話装置からの着信、リモート操作開始データの受信で紛失した携帯電話装置のリモート操作が可能になり、従来のように暗証番号による認証が不要になった。
【図面の簡単な説明】
【図１】本発明に係る携帯電話装置のリモート操作例を説明する図である。
【図２】図１の携帯電話装置１０１、１０２の概略構成を示すブロック図である。
【図３】図１における携帯電話装置１０１、１０２への紛失時設定例を説明するフローチャートである。
【図４】紛失した携帯電話装置に対してリモート操作を行わせる例を説明するフローチャートである。
【図５】紛失した携帯電話装置のリモート操作例を説明するフローチャートである。
【図６】図４の変形例であって、紛失携帯電話装置に固定メッセージ、警告音データを送信する例を説明するフローチャートである。
【図７】図５の変形例であって、紛失携帯電話装置で固定メッセージ、警告音データを受信する例を説明するフローチャートである。
【符号の説明】
１０１、１０２…携帯電話装置
１０３…固定電話装置
１０４、１０５…基地局
１０６…ネットワーク
２０１…アンテナ
２０２…無線部
２０３…音声処理部
２０４…スピーカ
２０５…マイクロフォン
２０６…記憶装置部
２０６Ａ…紛失時認証用電話番号保持部
２０６Ｂ…紛失時固定メッセージ保持部
２０６Ｃ…紛失時警告音データ保持部
２０７…表示装置部
２０８…キー操作部
２０９…制御部
２０９Ａ…紛失時処理部
【図１】
0003631695.tif 000002
【図２】
0003631695.tif 000003
【図３】
0003631695.tif 000004
【図４】
0003631695.tif 000005
【図５】
0003631695.tif 000006
【図６】
0003631695.tif 000007
【図７】
0003631695.tif 000008